(57)【要約】  【課題】多経路の低侵襲経路用内視鏡を提供する。  【解決手段】作業経路（１）とサブ内視鏡（２）とを含み、作業経路（１）はメイン経路（１１）とサブ経路（１２）と取手（１３）とを含み、メイン経路（１１）とサブ経路（１２）と取手（１３）とは相互に剛性的に接続され、メイン経路（１１）及びサブ経路（１２）の入口は取手（１３）に設置され、サブ内視鏡（２）はサブ経路（１２）内に設置され、サブ洗浄経路（２１）とサブ光学経路（２２）とはサブ内視鏡（２）内に設置され、サブ内視鏡（２）内には器具経路が設置されていない多経路の低侵襲経路用内視鏡である。サブ内視鏡（２）は、サブ経路（１２）内に設置され、メイン経路（１１）からの観察の機能を代替してもよく、補助的な観察の効果を奏してもよい。  【選択図】図１
2021533927.tif 000002
【特許請求の範囲】
【請求項１】
作業経路（１）とサブ内視鏡（２）とを含み、前記作業経路（１）はメイン経路（１１）とサブ経路（１２）と取手（１３）とを含み、前記メイン経路（１１）とサブ経路（１２）と取手（１３）とは相互に剛性的に接続され、メイン経路（１１）及びサブ経路（１２）の入口は取手（１３）に設置され、サブ内視鏡（２）はサブ経路（１２）内に設置され、サブ洗浄経路（２１）とサブ光学経路（２２）とはサブ内視鏡（２）内に設置され、サブ内視鏡（２）内には器具経路が設置されていない、ことを特徴とする多経路の低侵襲経路用内視鏡。
【請求項２】
前記メイン経路（１１）の長さはサブ経路（１２）の長さより長い、ことを特徴とする請求項１に記載の多経路の低侵襲経路用内視鏡。
【請求項３】
前記メイン経路（１１）とサブ経路（１２）との間は鋭角となるように設置され、メイン経路（１１）とサブ経路（１２）とは出口において密着し、入口において離間する、ことを特徴とする請求項１に記載の多経路の低侵襲経路用内視鏡。
【請求項４】
内視鏡視野孔（１５）は、前記メイン経路出口（１４）の片側に設置され、メイン経路出口（１４）とサブ経路出口（１６）との間に位置する、ことを特徴とする請求項３に記載の多経路の低侵襲経路用内視鏡。
【請求項５】
前記メイン経路（１１）とサブ経路（１２）と取手（１３）とは一体化されて構成され、メイン経路（１１）は補強用リブ（１７）を介してサブ経路（１２）と接続される、ことを特徴とする請求項１に記載の多経路の低侵襲経路用内視鏡。
【請求項６】
前記メイン経路出口（１４）は内視鏡視野孔（１５）と連通される、ことを特徴とする請求項１に記載の多経路の低侵襲経路用内視鏡。
【請求項７】
前記メイン経路（１１）内にはメイン内視鏡（３）が設置され、前記メイン内視鏡（３）内にはメイン洗浄経路（３１）、メイン光学経路（３２）及びメイン器具経路（３３）が設置される、ことを特徴とする請求項１に記載の多経路の低侵襲経路用内視鏡。
【請求項８】
前記メイン経路（１１）内には手術器具（４）が設置される、ことを特徴とする請求項１に記載の多経路の低侵襲経路用内視鏡。
【請求項９】
前記メイン経路（１１）の直径はサブ経路（１２）の直径より大きい、ことを特徴とする請求項１に記載の多経路の低侵襲経路用内視鏡。
【発明の詳細な説明】
【技術分野】
【０００１】
本発明は手術用の器具及び装置の分野に関し、特に、多経路の低侵襲経路用内視鏡に関する。
【背景技術】
【０００２】
低侵襲手術には、創傷が小さく、痛みが少なく、回復が早い長所があるため、「低侵襲」という概念は外科手術の各分野に浸透している。低侵襲手術とは、腹腔鏡や胸腔鏡など最新の医療器具を利用し、低侵襲経路装置及び関連装置と組み合わせて行われる手術である。
【０００３】
低侵襲技術には、外部としてのカニューレ及びカニューレ内に設置される内視鏡を含む椎間孔鏡を使用することがある。従来の内視鏡には、洗浄経路、光学経路、器具経路、そして導光ファイバが設置される。光学経路には、操作者が操作位置の状況を観察できるようにカメラを配置しており、器具経路内には手術器具を配置する。しかし、従来の技術には、下記のような不足がある。
【０００４】
１、手術器具は寸法が異なり、寸法が小さい器具は強度が不十分であり、寸法が大きい器具はうまく器具経路に挿入できず、単独でしか使用できない。
２、光学経路は器具経路の片側に固定されて設置され、器具の操作の観察時、死角がある。
【発明の概要】
【発明が解決しようとする課題】
【０００５】
本発明の目的は、内視鏡作業時、補助的な観察の役割を果たすことができる多経路の低侵襲経路用内視鏡を提供することである。
【課題を解決するための手段】
【０００６】
上記目的を実現するために、本発明は下記の技術案を提供する。
【０００７】
作業経路とサブ内視鏡とを含み、前記作業経路はメイン経路とサブ経路と取手とを含み、前記メイン経路とサブ経路と取手とは相互に剛性的に接続され、メイン経路及びサブ経路の入口は取手に設置され、サブ内視鏡はサブ経路内に設置され、サブ洗浄経路とサブ光学経路とはサブ内視鏡内に設置され、サブ内視鏡内には器具経路が設置されていない多経路の低侵襲経路用内視鏡である。サブ内視鏡は、サブ経路内に設置され、観察の役割を果たしており、メイン経路からの観察の機能を代替してもよく、補助の効果を奏してもよい。
【０００８】
好ましくは、前記メイン経路の長さがサブ経路の長さより長い。メイン経路の長さを長くすることで、サブ経路内の装置がメイン経路を障害することを避ける。
【０００９】
好ましくは、前記メイン経路とサブ経路との間は鋭角となるように設置され、メイン経路とサブ経路とは出口において密着し、入口において離間する。出口における密着によって操作スペースを節約することができる。
【００１０】
好ましくは、内視鏡視野孔は、前記メイン経路出口の片側に設置され、メイン経路出口とサブ経路出口との間に位置する。内視鏡視野孔は、メイン内視鏡とサブ内視鏡からの観察に使用する。
【００１１】
好ましくは、前記メイン経路とサブ経路と取手とは一体化されて構成され、メイン経路は補強用リブを介してとサブ経路と接続される。
【００１２】
好ましくは、前記メイン経路出口は内視鏡視野孔とは連通される。出口は内視鏡視野孔と連通されることで、観察可能範囲を拡大することができる。
【００１３】
好ましくは、前記メイン経路内にはメイン内視鏡が設置され、前記メイン内視鏡内にはメイン洗浄経路、メイン光学経路及びメイン器具経路が設置される。メイン内視鏡は従来の構造を採用し、サブ内視鏡は補助的な観察の役割を果たすことができる。
【００１４】
好ましくは、前記メイン経路内には手術器具が設置される。メイン経路内には、寸法の大きい手術器具を配置することができ、サブ内視鏡は従来のメイン内視鏡の代わりに観察及び洗浄機能を実現する。
【００１５】
好ましくは、前記メイン経路の直径はサブ経路の直径より大きい。サブ経路には器具が設置されていないため、経路としてのサブ経路の直径は小さく、スペースを節約することができる。
【００１６】
本発明は下記の有益な効果を有する。
１、メイン経路及びサブ経路には、異なる椎間孔鏡がそれぞれ挿入されることができ、手術作業を行いながら、複数の視角から作業部位を観察することができる。
【００１７】
２、寸法の大きい器具をメイン経路に挿入することができるため、より高強度な器具を使用することができ、適用可能範囲はより広くなる。
【００１８】
３、サブ内視鏡は、内部に手術器具が設置されず、作業中の観察のみに使用され、体積が小さく、スペースを節約する。
【図面の簡単な説明】
【００１９】
本発明の技術案をより明瞭に説明するために、以下、説明で使用される図面を簡単に説明する。明らかに、以下の説明に係る図面は本発明の実施例の一部に過ぎず、当業者は創造的な労力をせず、これらの図面に基づいて、ほかの図面を得ることができる。
【図１】は本発明の構造図である。
【図２】はメイン内視鏡の横断面の構造図である。
【図３】はサブ内視鏡の横断面の構造図である。
【図４】は作業経路Ａ方向断面図である。
【図５】は実施例１におけるＢ位置の拡大図である。
【図６】は実施例２におけるＢ位置の拡大図である。
【図７】は実施例３の構造図である。
【発明を実施するための形態】
【００２０】
当業者に本発明の技術案をよく理解してもらうために、以下、図面に合わせて本発明についてより詳しく説明する。
実施例１
【００２１】
図１〜５に示すように、本発明の実施例は、作業経路１と、サブ内視鏡２とメイン内視鏡３とを含む多経路の低侵襲経路用内視鏡を提供する。作業経路１は、一体化されて設置されるメイン経路１１と、サブ経路１２と取手１３とを含み、メイン経路１１は取手１３を介してサブ経路１２と接続され、且つメイン経路１１及びサブ経路１２の入口はいずれも取手１３箇所に設置される。メイン経路出口１４及び内視鏡視野孔１５は、メイン経路１１の取手１３から離れた一端に設置され、サブ経路１２にもサブ経路出口１６が設置される。内視鏡視野孔１５は、メイン経路出口１４の片側に設置され、メイン経路出口１４とサブ経路出口１６との間に位置する。メイン経路１１とサブ経路１２との間は鋭角となり、入口において離間し、出口において密着し、即ち、サブ経路出口１６はメイン経路１１に密着する。メイン経路１１の長さはサブ経路１２の長さより長い。
メイン経路１１は更に補強用リブ１７を介してサブ経路１２と接続される。
【００２２】
メイン内視鏡３は従来の内視鏡構造とし、内部にメイン洗浄経路３１、メイン光学経路３２及びメイン器具経路３３が設置される。サブ内視鏡２内にはサブ洗浄経路２１及びサブ光学経路２２が設置され、器具経路を設置しない。メイン内視鏡３はメイン経路１１内に設置され、サブ内視鏡２はサブ経路１２内に設置される。
本発明の作業原理は下記のとおりである。
【００２３】
作業中、メイン内視鏡３とサブ内視鏡２をそれぞれメイン経路１１とサブ経路１２の内部に配置して、本装置を手術操作に使用する。メイン内視鏡３及びサブ内視鏡２にはそれぞれ光学経路があるため、観察の切替が可能である。
実施例２
【００２４】
図６に示すように、本実施例において、内視鏡視野孔１５とメイン経路出口１４とは一体化されて設置され、更に器具の作業範囲を拡大し、サブ内視鏡２による観察を便利にする。本実施例のほかの部分は、実施例１とほぼ同じである。
実施例３
【００２５】
図７に示すように、本実施例において、メイン経路１１内にはメイン内視鏡３を設置せず、手術器具４を直接配置するため、寸法の大きい器具を直接使用することができ、経路の直径が不十分である場合、汎用性も向上する。サブ内視鏡２は同様に洗浄及び影像の観察に使用することができる。本実施例のほかの部分は、実施例１とほぼ同じである。
【００２６】
以上、説明する形で本発明の例示的な実施例の一部を説明したが、当然ながら、本発明の趣旨と範囲から逸脱しない限り、当業者は、様々な異なる形で、説明された実施例に対して修正を行うことができる。したがって、上記図面及び説明は実質的に例示的なもので、本発明の特許請求の範囲に対する限定と理解されるべきではない。
【符号の説明】
【００２７】
１、作業経路；２、サブ内視鏡；３、メイン内視鏡；４、手術器具；１１、メイン経路；１２、サブ経路；１３、取手；１４、メイン経路出口；１５、内視鏡視野孔；１６、サブ経路出口；１７、補強用リブ；２１、サブ洗浄経路；２２、サブ光学経路；３１、メイン洗浄経路；３２、メイン光学経路；３３、メイン器具経路
【図１】
2021533927.tif 000003
【図２】
2021533927.tif 000004
【図３】
2021533927.tif 000005
【図４】
2021533927.tif 000006
【図５】
2021533927.tif 000007
【図６】
2021533927.tif 000008
【図７】
2021533927.tif 000009
【国際調査報告】
2021533927.tif 000010
2021533927.tif 000011
2021533927.tif 000012
2021533927.tif 000013